(57)【特許請求の範囲】
【請求項１】
細長状の形態からなるとともに、その横断面形状において凹陥状の形態を有するハウジングと、当該ハウジング内に設けられるものであって当該ハウジングと略同等の横長状の形態からなり、その長手方向には少なくとも一以上の凹溝を有するとともに、当該凹溝の底のところには光を反射させるように形成された反射部を有するリフレクタと、当該リフレクタを形成する上記凹溝の開口部のところに設けられるものであって、長手方向に光を導くように形成されるとともに、その表面側及び裏面側へは光を発するように形成され、更には、上記表面側、裏面側、及び側面部側に所定のリフレクションカット模様の形成された導光板と、当該導光板の一方の端部のところに設けられるものであって、所定の光を発信する発光体と、上記リフレクタの前面側に設けられるものであって、透明体からなるとともに上記導光板を保護するために設けられるカバーと、からなるようにしたことを特徴とするイルミネーショングリル。
【発明の詳細な説明】
【技術分野】
【０００１】
本発明は、車両等、移動体の主に前面部等に設けられるものであって、主に視認性の確保を目的に設けられるイルミネーショングリルに関するものである。
【背景技術】
【０００２】
従来のこの種のものとしては、例えば特開２００３−４８４９９号公報記載のもの等が挙げられる。このものは、車両の前面部に設けられるものであって、当該車両前面部に形成された空気取入口の周りを飾るための部材（パーツ）として設けられるようになっているものである。
【先行技術文献】
【特許文献】
【０００３】
【特許文献１】特開２００３−４８４９９号公報
【発明の概要】
【発明が解決しようとする課題】
【０００４】
ところで、上記従来のもにおいては、空気取入口のところに、まず、メッシュ状のスクリーンが設けられるとともに、このメッシュ状スクリーンの前方部のところには、車両前面部の見栄えを良くするためのものとして、ガーニッシュ、あるいはグリル等が設けられるようになっている。しかしながら、この従来のものにおけるグリル等は、単なる装飾体としての体裁を成すものにすぎず、しかも、このものは、昼間の太陽光線下においてしか、その装飾性が発揮され得ないものである。従って、視認性等においては不十分なものと言わざるを得ない。このような問題点を解決するために、グリルの一部に凹陥部を形成させるとともに、この凹陥部内にＬＥＤ等からなる発光体、更には、当該発光体にて発光した光を所定の範囲内にて光らせるための導光体等からなる発光装置を設けるようにした、視認性に優れたイルミネーショングリルを提供しようとするのが、本発明の目的（課題）である。
【課題を解決するための手段】
【０００５】
上記課題を解決するために、本発明においては次のような手段を講ずることとした。すなわち、請求項１記載の発明である第一の発明においては、車両を初めとした移動体の主に前方部等に設けられるものであって視認性確保を目的に設けられるイルミネーショングリルに関して、細長状の形態からなるとともに、その横断面形状において凹陥状の形態を有するハウジングと、当該ハウジング内に設けられるものであって当該ハウジングと略同等の横長状の形態からなり、その長手方向には少なくとも一以上の凹溝を有するとともに、当該凹溝の底のところには光を反射させるように形成された反射部を有するリフレクタと、当該リフレクタを形成する上記凹溝の開口部のところに設けられるものであって、長手方向に光を導くように形成されるとともに、その表面側及び裏面側へは光を発するように形成され、更には、上記表面側、裏面側、及び側面部側に所定のリフレクションカット模様の形成された導光板と、当該導光板の一方の端部のところに設けられるものであって、所定の光を発信する発光体と、上記リフレクタの前面側に設けられるものであって、透明体からなるとともに上記導光板を保護するために設けられるカバーと、からなるようにした構成を採ることとした。
【発明の効果】
【００１０】
請求項１記載の発明である第一の発明について説明する。本発明によれば、上記構成を採ることにより、発光体からの光は細長状の導光板の全面に渡って発せられることとなり、全体的に、優れた視認性が確保されることとなる。すなわち、視認性に優れた、かつ、見栄えに優れたイルミネーショングリルが形成されることとなる。特に、本発明のものにおいては、夜間においても優れた視認性が確保されることとなる。
【００１１】
また、本発明のものにおいては、リフレクタの反射部のところに梨地シボ模様または格子シボ模様を形成させることにより、導光板から発せられた光は、梨地シボ模様または格子シボ模様を有する反射部のところで乱反射され、リフレクタの全面に渡って均等な状態で光が反射されるようになる。その結果、グリルの全面に渡って光が発信されるようになり、本イルミネーショングリルによる視認性がより高められることとなる。
【００１２】
また、本発明のものにおいては、リフレクタの表面部に細かな凸曲面等にて形成される凸面部からなる模様を規則正しく複数個設けるようにすることにより、これら反射面のところで反射された光は、一定の方向へと調整された状態で発信されることとなる。その結果、導光板のところから発せられる光は、きれいな平行光線となって、前方へと発信されることとなる。
【００１３】
また、本発明のものにおいては、導光板の表面部等にカット模様を形成させるようにしたので、これによって、導光板全体がより明るく輝くようになり、導光板全体、延いては本イルミネーショングリル全体の視認性が、より高められることとなる。
【００１４】
また、本発明のものにおいては、発光体としてＬＥＤ素子を採用することにより、導光板を少ない電力にて、より輝度の高い状態、すなわち、明るく輝いた状態で表示させることができるようになり、イルミネーショングリル全体の視認性がより高められることとなる。
【図面の簡単な説明】
【００１５】
【図１】本発明の全体構成を示す展開斜視図である。
【図２】本発明にかかるイルミネーショングリルの全体構成を示す横断面図である。
【図３】本発明の主要部を成す導光板及び発光体の配置状態を示す図である。
【図４】本発明の主要部を成す導光板周りの構成を示す横断面図である。
【図５】本発明の主要部を成すリフレクタにおける、その反射部についての一実施        例を示す図である。
【図６】本発明の主要部を成すリフレクタにおける、その反射部についての、その他の実施例を示す図である。
【発明を実施するための形態】
【００１６】
本発明を実施するための形態について、図１ないし図６を基に説明する。本実施の形態にかかるものは、図１または図２に示す如く、横長状の形態からなり、その長手方向には少なくとも一以上の凹溝１５を有するとともに、当該凹溝１５の底のところには光を反射させるように形成された反射部５を有するリフレクタ１と、当該リフレクタ１を形成する上記凹溝１５の開口部１２（図３，図４参照）のところに設けられるものであって、長手方向において光を導くように形成されるとともに、その表面側及び裏面側へは光を発するように形成された導光板２と、当該導光板２の一方の端部のところに設けられるものであって、ＬＥＤ素子等からなる発光体３と、からなることを基本とするものである。そして、これら発光体３、導光板２、リフレクタ１等が一体的にまとめられて、凹陥状の形態からなるハウジング８内に収容されるとともに、このように収容された上記リフレクタ１の前面側、具体的には上記導光板２の前面側には透明体からなるカバー７が設けられるようになっている。これによって、上記導光板２、発光体３等の保護が図られるようになっているものである。
【００１７】
このような基本構成からなるものにおいて、上記導光板２の設置されるリフレクタ１の、その具体的構成について、図２ないし図４を基に説明する。本リフレクタ１は、基本的には横長状の部材からなるものであって、その長手方向に複数本、本実施の形態のものにおいては２本の凹溝１５が設けられるようになっているものである（図１，図２参照）。そして、このような構成からなるものにおいて、上記凹溝１５の、少なくとも底の部分には金属メッキ処理等が施され、これによって反射部５が形成されるようになっているものである。なお、本実施の形態のものにおいては、上記凹溝１５も含めて、リフレクタ１の前面側が、すべてにわたって金属メッキ処理が成されるようになっている。これによって、リフレクタ１の全体が金属色にて輝くようになり、本イルミネーショングリル全体の視認性が高められることとなる。
【００１８】
このような構成からなる凹溝１５周りの具体的構成について、図３または図４を基に説明する。まず、上記凹溝１５の底の部分には金属メッキ処理等にて形成される反射部５が設けられるようになっている。また、このような凹溝１５の、その開口部１２のところには、本凹溝１５全体を覆うように導光板２が設けられるようになっている。この導光板２は、例えば図１に示す如く、全体的に細長状の形態からなる透明体にて形成されるようになっているものである。そして更に、このものは、図３に示す如く、ＬＥＤ素子等からなる発光体３からの光を、その長手方向に伝播させるとともに、その横断面形における前面部側及び後面部側へは、例えば図３、図４に示す如く、光を透過させるようになっているものである。これによって、上記凹溝１５の底の部分に設けられた反射部５のところで反射された光は、本導光板２を透過して、本イルミネーショングリルの前面側へと発信されるようになる。また、このような構成からなる本導光板２の、その横断面形における表面側、裏面側、及び側面部のところには、例えば図２または図３に示す如く、リフレクションカット面２２が形成されるようになっている。これによって、導光板２の裏面側においても光の反射作用が起こるようになり、本導光板２から前方へと照射される光の量は増加するようになる。
【００１９】
次に、このような構成からなる凹溝１５の、その底の部分に設けられる反射部５の構成について説明する。これらのうち、その一つの例としては、反射部５の全面が梨地シボ模様あるいは格子シボ模様からなるものが挙げられる。このような不定形の模様を形成させることによって、上記反射部５のところで反射される光は乱反射状態となって導光板２のところへと導かれ、ここから前方へと照射されるようになる（図４参照）。その結果、導光板２全体が所定の横幅を有する光の帯となって輝くようになり、視認性に優れたイルミネーショングリルが形成されることとなる。
【００２０】
次に、上記反射部５のところに形成される模様を、例えば図５に示す如く、規則正しく形成された複数の凸曲面５１からなるようにしたもの、あるいは図６に示す如く、規則正しく形成された複数の台形状凸面部５２からなるようにしたものが挙げられる。このような規則正しく形成された模様を有する反射部５にて反射された光は、整理された平行光線となって前方へと送られ、導光板２を透過して前方へと照射されようになる。従って、このような平行光線の束（光束）となった状態のものが導光板２のところから前方へと照射されることとなり、この光束は強い輝きをもって遠方まで照射されることとなる。
【符号の説明】
【００２１】
１  リフレクタ
１２  開口部
１５  凹溝
２  導光板
２２  リフレクションカット面
３  発光体
５  反射部
５１  凸曲面
５２  凸面部
７  カバー
８  ハウジング
【図１】
0005876269.tif 000002
【図２】
0005876269.tif 000003
【図３】
0005876269.tif 000004
【図４】
0005876269.tif 000005
【図５】
0005876269.tif 000006
【図６】
0005876269.tif 000007